(57)【要約】  ボイス・オーバＩＰ（ＶｏＩＰ）システム（１０）においてモバイル無線装置から発信された緊急呼をルーティングする方法及び装置をここに説明する。１以上の実施形態においては、ＶｏＩＰシステム（１０）に接続されたデュアルモード・モバイル装置（１２）から発信され無線アクセスポイント（ＷＡＰ）を経由して着信する緊急呼を受信し、着信する緊急呼に関連付けられた位置を判定し、呼者をセルラネットワーク（３８）にリダイレクトすることにより、ＶｏＩＰシステム（１０）において緊急呼をルーティングする。他の実施形態においては、ＷＡＰ識別子を緊急応答ポイント（ＥＡＰ）（３０）にマッピングし、発信側のＷＡＰ（１４）から着信する緊急呼を受信し、発信側のＷＡＰ（１４）に関連するＥＡＰ（３０）を特定し、特定したＥＡＰ（３０）に緊急呼を導くことにより、ＶｏＩＰシステム（１０）において緊急呼をルーティングする。
2009522872.tif 000002
【特許請求の範囲】
【請求項１】
ボイス・オーバＩＰ（ＶｏＩＰ）システム（１０）において緊急呼をルーティングする方法であって、
無線アクセスポイント（ＷＡＰ）識別子を緊急応答ポイント（ＥＡＰ）（３０）にマッピングする工程と、
発信側のＷＡＰ（１４）から着信する緊急呼を受信する工程と、
前記発信側のＷＡＰ（１４）に関連するＥＡＰ（３０）を特定する工程と、
前記特定したＥＡＰ（３０）に前記緊急呼を導く工程と、
を有することを特徴とする方法。
【請求項２】
前記ＷＡＰ識別子を前記ＥＡＰ（３０）にマッピングする前記工程には、
前記ＷＡＰ（１４）に関連付けられた位置情報を取得する工程と、
前記位置情報を用いて前記ＷＡＰ識別子を前記ＥＡＰ（３０）に関連させる工程と、
が含まれることを特徴とする請求項１に記載の方法。
【請求項３】
前記ＷＡＰ（１４）に関連付けられた前記位置情報を取得する前記工程には、１以上の前記ＷＡＰ（１４）によって前記ＶｏＩＰシステム（１０）にルーティングされた緊急でない呼において前記位置情報を取得する工程が含まれる
ことを特徴とする請求項２に記載の方法。
【請求項４】
前記ＷＡＰ（１４）に関連付けられた前記位置情報を取得する前記工程には、前記ＷＡＰ（１４）と通信している複数のモバイル無線装置から前記位置情報を取得する工程が含まれる
ことを特徴とする請求項２に記載の方法。
【請求項５】
１以上の前記モバイル無線装置にはデュアルモード・モバイル通信装置（１２）が含まれる
ことを特徴とする請求項４に記載の方法。
【請求項６】
前記ＷＡＰ（１４）と通信している前記モバイル無線装置から前記位置情報を取得する前記工程には、１以上の前記デュアルモード・モバイル通信装置（１２）からセルラネットワークにより得られた位置情報を取得する工程が含まれる
ことを特徴とする請求項５に記載の方法。
【請求項７】
前記モバイル無線装置から取得する前記位置情報には、ＧＰＳにより得られた位置情報と、ユーザにより得られた位置情報と、前記モバイル無線装置の圏内の装置（４２）から取得した位置情報と、のいずれか１つが含まれる
ことを特徴とする請求項４に記載の方法。
【請求項８】
１以上の前記ＷＡＰ（１４）を介して前記ＶｏＩＰシステム（１０）にアクセスしている複数のモバイル無線装置から前記ＷＡＰ識別子を取得する工程をさらに有する
ことを特徴とする請求項１に記載の方法。
【請求項９】
前記モバイル無線装置から前記ＷＡＰ識別子を取得する前記工程には、前記モバイル無線装置が前記ＶｏＩＰシステム（１０）にログインしている間に前記モバイル無線装置から前記ＷＡＰ識別子を取得する工程が含まれる
ことを特徴とする請求項８に記載の方法。
【請求項１０】
前記着信する緊急呼には、緊急音声呼と、９１１緊急音声呼と、緊急テキストメッセージと、緊急インスタントメッセージと、のいずれか１つが含まれる
ことを特徴とする請求項１に記載の方法。
【請求項１１】
前記ＷＡＰ識別子には、メディアアクセス制御アドレスと、サービスセット識別子と、インターネットプロトコルアドレスと、のいずれか１つが含まれる
ことを特徴とする請求項１に記載の方法。
【請求項１２】
ＥＡＰが特定されなかった場合、セルラネットワーク（３８）に前記緊急呼をリダイレクトする処理を開始する工程をさらに備える
ことを特徴とする請求項１に記載の方法。
【請求項１３】
緊急呼をルーティングするボイス・オーバＩＰ（ＶｏＩＰ）システム（１０）であって、
無線アクセスポイント（ＷＡＰ）識別子を緊急応答ポイント（ＥＡＰ）（３０）にマッピングするように構成された、前記ＶｏＩＰシステム（１０）に含まれ、または、関連付けられた、データベース（３４）と、
発信側のＷＡＰ（１４）から着信する緊急呼を受信し、前記発信側のＷＡＰ（１４）に関連するＥＡＰ（３０）を特定し、前記特定したＥＡＰ（３０）に前記緊急呼を導くように構成された、呼処理サーバ（１８）と、
を備えることを特徴とするＶｏＩＰシステム（１０）。
【請求項１４】
前記呼処理サーバ（１８）は前記ＷＡＰ（１４）に関連付けられた位置情報を取得するように構成され、前記データベース（３４）は前記位置情報を用いて前記ＷＡＰ識別子を前記ＥＡＰ（３０）にマッピングするように構成される
ことを特徴とする請求項１３に記載のＶｏＩＰシステム（１０）。
【請求項１５】
前記呼処理サーバ（１８）は、１以上の前記ＷＡＰ（１４）によって前記ＶｏＩＰシステム（１０）にルーティングされた緊急でない呼において前記位置情報を取得することによって、前記ＷＡＰ（１４）に関連付けられた前記位置情報を取得するように構成される
ことを特徴とする請求項１４に記載のＶｏＩＰシステム（１０）。
【請求項１６】
前記呼処理サーバ（１８）は、前記ＷＡＰ（１４）と通信している複数のモバイル無線装置から前記ＷＡＰ（１４）に関連付けられた前記位置情報を取得するように構成される
ことを特徴とする請求項１４に記載のＶｏＩＰシステム（１０）。
【請求項１７】
１以上の前記モバイル無線装置にはデュアルモード・モバイル通信装置（１２）が含まれる
ことを特徴とする請求項１６に記載のＶｏＩＰシステム（１０）。
【請求項１８】
前記呼処理サーバ（１８）は、１以上の前記デュアルモード・モバイル通信装置（１２）からセルラネットワークにより得られた位置情報を取得することによって、前記ＷＡＰ（１４）に関連付けられた前記位置情報を取得するように構成される
ことを特徴とする請求項１７に記載のＶｏＩＰシステム（１０）。
【請求項１９】
前記呼処理サーバ（１８）が取得する前記位置情報には、ＧＰＳにより得られた位置情報と、ユーザにより得られた位置情報と、前記モバイル無線装置の圏内の装置（４２）から取得した位置情報と、のいずれか１つが含まれる
ことを特徴とする請求項１６に記載のＶｏＩＰシステム（１０）。
【請求項２０】
前記呼処理サーバ（１８）は、１以上の前記ＷＡＰ（１４）を介して前記ＶｏＩＰシステム（１０）にアクセスしている複数のモバイル無線装置から前記ＷＡＰ識別子を取得するようにさらに構成される
ことを特徴とする請求項１３に記載のＶｏＩＰシステム（１０）。
【請求項２１】
前記呼処理サーバ（１８）は、前記モバイル無線装置が前記ＶｏＩＰシステム（１０）にログインしている間に前記モバイル無線装置から前記ＷＡＰ識別子を取得するように構成される
ことを特徴とする請求項２０に記載のＶｏＩＰシステム（１０）。
【請求項２２】
前記着信する緊急呼には、緊急音声呼と、９１１緊急音声呼と、緊急テキストメッセージと、緊急インスタントメッセージと、のいずれか１つが含まれる
ことを特徴とする請求項１３に記載のＶｏＩＰシステム（１０）。
【請求項２３】
前記ＷＡＰ識別子には、メディアアクセス制御アドレスと、サービスセット識別子と、インターネットプロトコルアドレスと、のいずれか１つが含まれる
ことを特徴とする請求項１３に記載のＶｏＩＰシステム（１０）。
【請求項２４】
前記呼処理サーバは、ＥＡＰが特定されなかった場合、セルラネットワーク（３８）に前記緊急呼をリダイレクトする処理を開始するようにさらに構成される
ことを特徴とする請求項１３に記載のＶｏＩＰシステム（１０）。
【請求項２５】
モバイル無線装置であって、
無線広帯域ネットワーク（１６）と通信するように構成された無線広帯域ラジオ部（３６）と、
前記モバイル無線装置が前記無線広帯域ネットワーク（１６）にアクセスする際に経由する無線アクセスポイント（ＷＡＰ）（１４）の識別子を取得し、前記モバイル無線装置が開始したボイス・オーバＩＰ（ＶｏＩＰ）呼においてＶｏＩＰシステム（１０）に前記ＷＡＰ識別子を提供し、前記モバイル無線装置に関連付けられた位置情報を前記ＶｏＩＰシステム（１０）に提供するように構成された通信プロセッサ（２０）と、
を備えることを特徴とするモバイル無線装置。
【請求項２６】
前記通信プロセッサ（２０）は、前記モバイル無線装置と前記ＷＡＰ（１４）との間の認証手順において前記ＷＡＰ識別子を取得するように構成される
ことを特徴とする請求項２５に記載のモバイル無線装置。
【請求項２７】
前記通信プロセッサ（２０）は、ＧＰＳ装置と、セルラネットワーク（３８）と、前記モバイル無線装置のユーザと、前記モバイル無線装置の圏内の装置（４２）と、のいずれか１つから、前記モバイル無線装置に関連付けられた前記位置情報を取得するようにさらに構成される
ことを特徴とする請求項２５に記載のモバイル無線装置。
【請求項２８】
前記通信プロセッサ（２０）は、呼リダイレクト命令に応じて、セルラネットワーク（３８）に新たな緊急呼を発信するようにさらに構成される
ことを特徴とする請求項２５に記載のモバイル無線装置。
【発明の詳細な説明】
【技術分野】
【０００１】
本出願は、出願日が２００６年１月３日の米国特許仮出願第６０／７５５，９２６号と、出願日が２００６年１２月８日の米国特許出願第１１／６０８，５４４号の利益を主張するものであり、これらの出願の全体は参照によりここに組み込まれる。
【０００２】
本発明はセルラネットワークと広帯域無線ネットワークとが集中されたネットワークに関し、特に、集中型ネットワークにおいて緊急呼をルーティングすることに関する。
【背景技術】
【０００３】
セルラネットワークと広帯域無線ネットワークとの集中化は、ちょうどセルラネットワーク内で加入者がセル間を移動するように、シームレスな音声とデータ・セッションの連続性を保ちながら加入者がネットワーク間を移動することを可能にする。無線ネットワークを集中させることにより、デュアル（二重）の無線アクセスネットワークが効果的に作成される。データまたは音声等の情報をセルラネットワーク上でルーティングすることが効率的な場合、モバイル装置はセルラネットワークを通信に使用する。逆に、広帯域無線ネットワーク上で情報をルーティングするほうが効率的な場合は、モバイル装置は広帯域無線ネットワークを通信に使用する。
【０００４】
セルラネットワークと広帯域無線ネットワークとを集中させることに関する課題の一つは、その地域の適切な緊急隊員へ緊急呼をルーティングすることである。さまざまな政府が、通信サービスプロバイダに対して、セルラハンドセットからなされた緊急呼をサポートすることを求めている。例えば、アメリカ合衆国の連邦通信委員会（ＦＣＣ：Federal Communications Commission）はＥ−９１１指令を発行している。また、ＦＣＣは、ボイス・オーバＩＰ（ＶｏＩＰ：Voice-over-IP）のサービスプロバイダに対して、近い将来、Ｅ−９１１に従うよう求めるだろう。例えば、ＶｏＩＰプロバイダは、すべての９１１呼を顧客の地域の緊急オペレータへ配信し、緊急オペレータに折り返しの電話番号と顧客の位置情報を提供することが求められるようになるだろう。
【０００５】
セルラネットワークでは、セルラハンドセットから発信された緊急呼を処理する場合に、この呼の発呼側の位置を特定する位置情報サービスが広く使用されている。例えば、全地球測位システム（ＧＰＳ：Global Positioning System）等の装置中心（device-centric）技術は、モバイル装置の位置を１０メートル以下の精度で正確に特定することができる。また、符号分割多元接続方式（ＣＤＭＡ：Code Division Multiple Access）セルラネットワーク用のアシステッドＧＰＳ（ＡＧＰＳ：Assisted GPS）やＧＳＭ（Global System for Mobile communications）用の強化観測時間作法（ＥＯＴＤ：Enhanced Observed Time Difference）等のネットワーク支援型技術は、モバイル装置の位置を１００メートル以下の精度で正確に特定することができる。
【発明の開示】
【発明が解決しようとする課題】
【０００６】
しかしながら、広帯域無線ネットワークにアクセスするモバイル装置用の位置特定技術はあまり成熟していない。また、例えば、遠隔にある装置間で通信するためにインターネット・プロトコル（ＩＰ）ベアラを使用するように、広帯域通信の性質によって、発呼側の位置に関連付けられた全ての情報が失われてしまう。このように、セルラネットワークと広帯域無線ネットワークとの集中化は、モバイル無線装置が広帯域無線ネットワークを介して通信している場合にこの装置の位置を特定するという新たな課題を提起する。例えば、モバイル無線装置がセルラネットワークから広帯域無線ネットワークへシームレスに移行する場合、広帯域無線ネットワークに接続したときは、その位置を決定することと通信することとの少なくともいずれかを、その装置はもはや実行することができなくなるかもしれない。広帯域無線アクセス技術を用いてＶｏＩＰ呼を発信するモバイル装置に対してＥ−９１１の遵守が義務づけられた場合、ＶｏＩＰサービスプロバイダは特にやっかいな課題に直面することになる。
【課題を解決するための手段】
【０００７】
ここに教示される方法及び装置によれば、ボイス・オーバＩＰ（ＶｏＩＰ）システムにおいてモバイル無線装置から発信された緊急呼をルーティングする方法が提供される。一つの例では、この方法は、ＶｏＩＰシステムに接続されたデュアルモード・モバイル装置から発信され無線アクセスポイント（ＷＡＰ）を介して着信する緊急呼を受信する工程と、着信する緊急呼に関連付けられた位置を判定する工程と、発呼側をセルラネットワークへリダイレクトする工程と、を有する。上記緊急呼ルーティング方法に対応して、補助ＶｏＩＰシステムは、ＶｏＩＰシステムに接続されたデュアルモード・モバイル装置から発信されＷＡＰを介して着信する緊急呼を受信するように構成された呼処理サーバを備える。この呼処理サーバは、着信する緊急呼に関連付けられた位置を判定し、発呼側をセルラネットワークへリダイレクトするように更に構成される。
【０００８】
ここに説明するいくつかの実施形態によれば、ＶｏＩＰシステムは、ＶｏＩＰシステムにアクセスしているモバイル無線装置に関連付けられた位置情報を取得し、取得した位置情報を、適切な緊急応答ポイント（ＥＡＰ：Emergency Answering Point）へ緊急呼をルーティングするために使用することが可能になる。一つの例では、ＷＡＰ識別子がＥＡＰにマッピングされる。このようにして、着信する緊急呼が発信側のＷＡＰから受信された場合、発信側のＷＡＰに関連付けられたＥＡＰが特定され、緊急呼は特定されたＥＡＰへ導かれることになる。
【０００９】
他の例では、ＶｏＩＰシステムに接続されたモバイル無線装置から発信されＷＡＰを介して着信する緊急呼は、ＶｏＩＰシステムが受信する。モバイル無線装置に関連付けられた位置情報はモバイル無線装置から取得され、モバイル無線装置から取得された位置情報に対応する地理的領域にサービスを提供しているＥＡＰに対して緊急呼が導かれる。
【００１０】
さらなる他の例では、ＶｏＩＰシステムに接続されたモバイル無線装置から発信されＷＡＰを介して着信する緊急呼は、ＶｏＩＰシステムが受信する。モバイル無線装置の範囲内にある装置が取得した位置情報が取得される。圏内（in-range：範囲内の）装置から取得した位置情報に対応する地理的領域にサービスを提供しているＥＡＰに緊急呼は導かれる。
【００１１】
もちろん、本発明の特徴や利点は上述のものに限られない。当業者は、以下の詳細な説明を読み、添付部面を参照することによって、さらなる特徴および利点を認識するだろう。
【発明を実施するための最良の形態】
【００１２】
図１は、パケットベースの音声およびデータサービスをデュアルモード・モバイル（通信）装置１２等のモバイル無線装置に提供するボイス・オーバＩＰ（ＶｏＩＰ）システム１０の一実施形態を示している。デュアルモード・モバイル装置１２は、例えば、ＩＥＥＥ８０２．１１（ＷｉＦｉ）、ＩＥＥＥ８０２．１６（ＷｉＭａｘ）、あるいは、ＷＡＰに互換性のあるＩＥＥＥ８０２．２０（モバイル広帯域無線アクセス）のような無線アクセスポイント（ＷＡＰ：Wireless Access Point）１４を介して、ＶｏＩＰシステム１０へのアクセスを取得する。また、デュアルモード・モバイル装置１２は、例えば、インターネット等のバケット交換データネットワーク（ＰＳＤＮ：Packet-Switched Data Network）を介して、ＶｏＩＰシステム１０に直接または間接的に接続されている。ＶｏＩＰシステム１０は、ＶｏＩＰシステム１０を通過する緊急呼を含むＶｏＩＰ接続を管理するための呼処理サーバ１８を備えている。
【００１３】
デュアルモード・モバイル装置１２とＶｏＩＰシステム１０は、制御情報とパケットベースの通信データとの両方を通信する。パケットベースの呼を確立して制御するために、デュアルモード・モバイル装置１２とＶｏＩＰシステム１０は、例えば、セッション・イニシエーション・プロトコル（ＳＩＰ：Session Initiation Protocol）やＨ．３２３のようなシグナリング（信号伝達）プロトコルを使用する。例えば、ＶｏＩＰシステム１０の呼処理サーバ１８とデュアルモード・モバイル装置１２の通信プロセッサ２０とは、装置１２によって開始された緊急呼のハンドリングを制御するための、Ｊａｖａ（登録商標）等のクライアントコードと連動してＳＩＰを使用する。
【００１４】
通信プロセッサ２０はデュアルモード・モバイル装置１２のネットワーク通信を管理するが、これには、通信チャネルの確立および維持と、呼の開始および管理と、デュアルモード・モバイル装置１２の位置の取得とが含まれる。通信プロセッサ２０は、ソフトウエア（またはファームウエア）に実装されたコンピュータプログラム命令に従うように構成された、１以上の汎用または特定目的のマイクロプロセッサと、デジタル信号プロセッサと、アプリケーション専用集積回路と、フィールド・プログラマブル・ゲートアレイと、他の種類のデジタル処理回路と、の少なくともいずれかを備えてもよい。
【００１５】
同様に、呼処理サーバ１８はＶｏＩＰシステム１０のパケットベース通信を管理する。呼処理サーバ１８はハードウエアとソフトウエアとの少なくともいずれかを備えており、単一のサーバ、サーバのクラスタ、あるいは、分散された機能性を有するサーバ・ファームとして配置することができる。呼処理サーバ１８は、装置の通信を管理し、様々なマッピングや変換（トランスレーション）を維持し、装置間の通信チャネルの開閉を行う。例えば、呼処理サーバ１８は、ＶｏＩＰ呼のシグナリングと制御機能を提供する呼エージェント２２を有している。呼エージェント２２は、例えば、呼の発信、終端、または転送を行うことによって、ＶｏＩＰシステム１０にアクセスする装置に関連付けられたシグナリングと制御フローを管理する。制限的でない例において、呼エージェント２２は、例えば、ＳＩＰ要求のルーティングと転送を行うことによって、ＳＩＰ呼のシグナリングと制御機能を提供する、ＳＩＰサーバ（不図示）を含んでもよい。
【００１６】
さらに、呼処理サーバ１８は、例えば、ボイスメール、電話会議、緊急呼のハンドリングのような、呼エージェント２２が管理しない１以上のアプリケーションまたはサービスを実行するアプリケーションサーバ２４を含む。呼処理サーバ１８は、メディアゲートウェイ・コントローラ／メディアゲートウェイ（ＭＧＣ／ＭＧ：Media Gateway Controller／Media Gateway）２６とのインタフェースを有する。ＭＧＣ／ＭＧ２６は、公衆交換電話ネットワーク（ＰＳＴＮ：Public-Switched Telephone Network）２８とのインタフェースを有する呼制御ロジックおよびハードウエアを有している。このようにして、呼処理サーバ１８はＭＧＣ／ＭＧ２６を介してＰＳＴＮ２８へのアクセスを取得する。
【００１７】
ＶｏＩＰシステム１０におけるパケットベース接続の管理の一部として、呼処理サーバ１８は、デュアルモード・モバイル装置１２等のモバイル無線装置を含む、システム１０に接続された様々な装置から受信した緊急呼を処理する。ＶｏＩＰシステム１０が受信する緊急呼には、専用の緊急音声呼、９１１緊急音声呼、緊急テキストメッセージ、緊急インスタントメッセージ等が含まれてもよい。呼処理サーバ１８は、受信した緊急呼を、緊急応答ポイント（ＥＡＰ：Emergency Answering Point）３０にルーティングするが、ここでＥＡＰ３０は、公開サービス応答ポイント（ＰＳＡＰ：Public Service Answering Point）等の指定された州全体の規定の応答ポイント、地域の適切な緊急当局や他の緊急応答ポイント、あるいは、Ｏｎｓｔａｒ等の専用緊急応答ポイントである。緊急呼を適切なＥＡＰにルーティングするために、呼処理サーバ１８は、例えば、緯度、経度、高度、住所、電話番号、建物名などの地球空間の位置情報または都市の位置情報のような、パケットベースの呼の位置に関連付けられた情報を取得する。呼処理サーバ１８は、特定の緊急呼を受信する適切なＥＡＰを特定するために、そのような位置情報を使用する。
【００１８】
ＶｏＩＰシステム１０は、ＰＳＴＮ２８と緊急サービスネットワーク３２とのいずれかを介して、緊急呼をＥＡＰ３０にルーティングする。ここで、緊急サービスネットワーク３２は、有線のＥ９１１ネットワークか、あるいは、緊急呼と関連情報をＥＡＰ３０にルーティングすることが可能な、専用の緊急呼ハンドリングネットワーク等である。ＰＳＴＮ２８を介して緊急呼をルーティングするために、呼処理サーバ１８は、呼に関連付けられた位置情報を使用して適切なＥＡＰのアドレスを特定し、ＰＳＴＮ２８上のＥＡＰアドレスへＭＧＣ／ＭＧ２６を介して呼を転送する。緊急サービスネットワーク３２を介して呼をルーティングする場合、呼処理サーバ１８は、ゲートウェイ（不図示）を介して直接、または、ＰＳＤＮ１６またはＰＳＴＮ２８を介して間接的に、取得した位置情報とともに緊急呼を緊急サービスネットワーク３２へ転送する。緊急サービスネットワーク３２は、位置情報を使用して、緊急呼に応じるのに適したＥＡＰのアドレスを特定する。
【００１９】
以下、ＶｏＩＰシステム１０が、当該システム１０にアクセスしたモバイル無線装置に関連付けられた位置情報を取得し、取得した位置情報を使用して緊急呼を適切なＥＡＰにルーティングすることを可能にするいくつかの実施形態を説明する。一実施形態では、モバイル無線装置に関連付けられた位置情報を使用してＷＡＰをＥＡＰ３０に関連付けるデータベース３４を、呼処理サーバ１８がポピュレート（populate）及び管理する。特に、呼処理サーバ１８は、モバイル無線装置に関連付けられた位置情報をＷＡＰの位置を近似するものとして使用し、その位置情報を用いて１以上のＥＡＰ３０を特定のＷＡＰに関連付ける。このため、ＶｏＩＰシステム１０が、既知のＷＡＰ、すなわち、データベース内にエントリを有するＷＡＰから緊急呼を受信した場合、呼処理サーバ１８は、そのＷＡＰに関連付けられたＥＡＰを特定して、特定したＥＡＰに対し緊急呼をルーティングする。
【００２０】
図２は、ＷＡＰを特定し、特定したＷＡＰに関連付けられた位置情報をＶｏＩＰシステム１０に提供する処理ロジックの一実施形態を示している。ＶｏＩＰシステム１０に接続する前に、モバイル無線装置は、例えば、無線ローカル・エリア・ネットワーク（ＷＬＡＮ：Wireless Local Area Network）への無線広帯域アクセスを取得する（ステップ１００）。例えば、デュアルモード・モバイル装置１２は、当該装置１２が有するＷＬＡＮラジオ部３６を用いてＷＡＰ１４を介した無線広帯域アクセスを取得する。ＷＡＰ１４は、デュアルモード・モバイル装置１２が権限のある装置であるか否かを判定するための、ネットワークアクセス認証手順を実装している。
【００２１】
無線広帯域ネットワークへのアクセスを取得した後、モバイル無線装置はログインするか、そうでなければＶｏＩＰシステム１０から認証される（ステップ１０２）。認証が完了した後、あるいはその代わりに認証処理の一部において、モバイル無線装置は、発信側のＷＡＰ、すなわち、モバイル無線装置がＶｏＩＰシステム１０へのアクセスを取得する際に経由するＷＡＰに関連付けられた識別子をＶｏＩＰシステム１０へ送信する（ステップ１０４）。例えば、デュアルモード・モバイル装置１２は発信側のＷＡＰ１４に関連付けられた識別子を提供する。各識別子は特定のＷＡＰをＶｏＩＰシステム１０に対して固有に特定し、例えば、メディアアクセス制御（ＭＡＣ：Media Access Control）アドレス、サービスセット識別子（ＳＳＩＤ：Service Set Identifier）、あるいは、インターネットプロトコル（ＩＰ）アドレスがこれに該当する。ＶｏＩＰシステム１０からの要求に応じて、あるいは、自動的に、モバイル無線装置はそのモバイル無線装置に関連付けられた位置情報をＶｏＩＰシステム１０へ送信する（ステップ１０６）。
【００２２】
図３は、モバイル無線装置が提供するＷＡＰ情報を用いてデータベース３４をポピュレートする処理ロジックの一実施形態を示している。モバイル無線装置が、例えば緊急でない呼において、無線広帯域接続を介してＶｏＩＰシステム１０にアクセスした場合、モバイル無線装置はＶｏＩＰシステム１０にログインするか、そうでなけれはＶｏＩＰシステム１０に対して自装置を認証させる（ステップ１０８）。ログイン処理の一部において、モバイル無線装置は、そのモバイル無線装置がＶｏＩＰシステム１０と通信する際に経由するＷＡＰに関連付けられた識別子をＶｏＩＰシステム１０へ送信する。例えば、デュアルモード・モバイル装置１２は、発信側のＷＡＰ１４に関連付けられた識別子をＶｏＩＰシステム１０に提供する。
【００２３】
呼処理サーバ１８は、発信側のＷＡＰ１４がＶｏＩＰシステム１０に既知であるか否かを検証する（ステップ１１０）。発信側のＷＡＰ１４が既知の場合、呼処理サーバ１８は着信する呼を処理する（ステップ１１２）。反対に、発信側のＷＡＰ１４が既知でない場合は、ＶｏＩＰシステム１０はデュアルモード・モバイル装置１２から位置情報を取得する（ステップ１１４）。取得した位置情報は発信側のＷＡＰ１４のおよその位置を提供する。次に、データベース３４は取得した位置情報で更新される（ステップ１１６）。特に、図４に示すように、データベース３４は、新たに特定されたＷＡＰに関連付けられた位置情報に対応する地域を担当する１以上のＥＡＰに新たなＷＡＰ識別子をマッピングする。さらに、ＶｏＩＰシステム１０は、同一のＷＡＰを介してこのＶｏＩＰシステム１０にアクセスする複数のモバイル無線装置から位置情報を取得してもよい。そして、呼処理サーバ１８は、特定のＷＡＰの位置を絞り込むか突き止めるために、取得した複数の位置情報を使用してもよい。
【００２４】
デュアルモード・モバイル装置１２は様々な方法でその位置情報を取得することができる。例えば、デュアルモード・モバイル装置１２はその位置を判定するＧＰＳ装置（不図示）を有してもよい。あるいは、デュアルモード・モバイル装置１２はセルラネットワーク３８と通信してその位置を取得してもよい。例えば、デュアルモード・モバイル装置１２が有するセルララジオ部４０は、セルラネットワーク３８との無線接続を確立することができる。いったん接続すると、デュアルモード・モバイル装置１２は、ＥＯＴＤ（Enhanced Observed Time Difference）、アシステッドＧＰＳ（Assisted GPS）、または、ＴＤＯＡ（Time Difference of Observed Arrival）等の、セルラネットワークに起因する手法によってその位置を取得する。さらに他の例では、デュアルモード・モバイル装置１２のユーザが、例えば、デュアルモード・モバイル装置１２のキーパッドに英数字文字を入力したり、あるいは、音声命令を使用したりして、デュアルモード・モバイル装置１２に位置情報を入力する。
【００２５】
図５は、デュアルモード・モバイル装置１２等のモバイル無線装置か、または、ＶｏＩＰシステム１０が、圏内装置４２、すなわち、モバイル無線装置と十分近接していて、装置間で無線接続を確立することが可能な装置から位置情報を取得する一実施形態を示している。圏内装置４２から取得した位置情報は、デュアルモード・モバイル装置１２がそれ自身の位置を確定することができない場合に、そのデュアルモード・モバイル装置１２のおよその位置を見積もるのに用いることができる。デュアルモード・モバイル装置１２は、圏内装置４２から位置情報を取得してその位置情報をＶｏＩＰシステム１０に提供するか、または、ＶｏＩＰシステム１０と圏内装置４２との間で接続を開始する。
【００２６】
一例では、デュアルモード・モバイル装置１２は、圏内装置４２から位置情報を取得して、それをＶｏＩＰシステム１０に提供する。このとき圏内装置４２はＶｏＩＰシステム１０には既知ではない。緊急呼において、デュアルモード・モバイル装置１２の通信プロセッサ２０とＶｏＩＰシステム１０の呼処理サーバ１８との間でＳＩＰシグナリング接続が確立される。また、通信プロセッサ２０と呼処理サーバ１８との間で情報を交換するために、ＶｏＩＰシステム１０とデュアルモード・モバイル装置１２との間にもメディア接続が確立される。デュアルモード・モバイル装置１２の位置が既知でないか、または、およその位置を見積もることができないと判定された場合、デュアルモード・モバイル装置１２は圏内装置４２の通信プロセッサ４４とＳＩＰ接続を確立する。圏内装置４２とのＳＩＰ接続の一部として、メディア接続も確立される。次に、デュアルモード・モバイル装置１２は圏内装置４２からの位置情報を要求する。デュアルモード・モバイル装置１２は、２つの装置間のメディア接続を介して、圏内装置４２から位置情報を取得する。次に、デュアルモード・モバイル装置１２は、デュアルモード・モバイル装置１２とＶｏＩＰシステム１０との間のメディア接続を介して、ＶｏＩＰシステム１０に位置情報を提供する。
【００２７】
他の限定的でない例では、呼処理サーバ１８は、圏内装置４２の通信プロセッサ４４と、新たなＳＩＰ及びメディア接続を確立する。圏内装置４２との既存のメディア接続を用いて、デュアルモード・モバイル装置１２は、例えば、ＭＡＣアドレス、ＳＳＩＤ、ＩＰアドレス、または、電話番号などの、装置の識別子を圏内装置４２から取得してもよい。次に、デュアルモード・モバイル装置１２は、ＶｏＩＰシステム１０とデュアルモード・モバイル装置１２との間の既存のメディア接続を介して、圏内装置４２から取得した装置の識別子をＶｏＩＰシステム１０へ転送する。呼処理サーバ１８は装置の識別子を使用して、ＶｏＩＰシステム１０と圏内装置４２との間にＳＩＰとメディア接続を確立する。このようにして、呼処理サーバ１８は、新たに確立されたメディアチャネルを介して圏内装置４２から位置情報を取得することができる。デュアルモード・モバイル装置１２との緊急呼接続を維持する間、呼処理サーバ１８は１以上の圏内装置と連絡できることを当業者は理解するだろう。
【００２８】
さらなる他の限定的でない例では、呼処理サーバ１８は、デュアルモード・モバイル装置１２を介して、圏内装置４２と通信する。特に、デュアルモード・モバイル装置１２は、デュアルモード・モバイル装置１２とＶｏＩＰシステム１０との間、並びに、デュアルモード・モバイル装置１２と圏内装置４２との間で確立されている、ＳＩＰおよびメディア接続を用いて、ＶｏＩＰシステム１０と圏内装置４２との間で情報をルーティングしたり、あるいは、受け渡したりする。すなわち、デュアルモード・モバイル装置１２は、圏内装置４２とＶｏＩＰシステム１０との間で通信を確立する中継器（relay）として機能することができる。このように、デュアルモード・モバイル装置１２がルータまたはパススルー装置として機能することによって、呼処理サーバ１８が、デュアルモード・モバイル装置１２との既存の接続を用いて圏内装置４２から位置情報を取得することが可能になる。
【００２９】
図６はモバイル無線装置がＷＡＰを介してＶｏＩＰシステム１０に緊急呼を発信する処理ロジックの一実施形態を示している。モバイル無線装置は、無線広帯域接続を介してＶｏＩＰシステム１０と緊急呼を開始する（ステップ２００）。例えば、デュアルモード・モバイル装置１２は、ＷＡＰ１４が確立した無線広帯域接続を介して緊急呼を開始する。モバイル無線装置は、ＶｏＩＰシステム１０と通信する際に経由するＷＡＰに関連付けられた識別子をＶｏＩＰシステム１０へ送信する（ステップ２０２）。例えば、デュアルモード・モバイル装置１２は発信側のＷＡＰ１４に関連付けられた識別子を提供する。
【００３０】
図７は、データベース３４が提供するＷＡＰ／ＥＡＰの関係を用いて、ＶｏＩＰシステム１０が受信した緊急呼を適切なＥＡＰにルーティングする処理ロジックの一実施形態を示している。例えば、デュアルモード・モバイル装置１２が発信側のＷＡＰ１４に認証された後に、デュアルモード・モバイル装置１２は、ＷＡＰ１４が確立した無線広帯域接続を介して緊急呼を開始する（ステップ２０４）。ＶｏＩＰシステム１０は、発信側のＷＡＰ１４に関連付けられた識別子をデュアルモード・モバイル装置１２から受信する（ステップ２０６）。次に、呼処理サーバ１８は、デュアルモード・モバイル装置１２から受信したＷＡＰ識別子を用いてデータベース３４にクエリーまたはマイニングを行って、発信側のＷＡＰ１４に関連付けられたＥＡＰを特定する（ステップ２０８）。呼処理サーバ１８は、例えば、ＰＳＴＮ２８または緊急サービスネットワーク３２を介して、特定されたＥＡＰに緊急呼を導く（ステップ２１０）。
【００３１】
図８は、緊急呼の一部としてＶｏＩＰシステム１０に位置を提供するモバイル無線装置が、ＶｏＩＰシステム１０に緊急呼を発信する処理ロジックの一実施形態を示している。モバイル無線装置は、ＶｏＩＰシステム１０と無線広帯域接続を介して緊急呼を開始する（ステップ３００）。例えば、デュアルモード・モバイル装置１２は、ＷＡＰ１４が確立した無線広帯域接続を介して緊急呼を開始する。モバイル無線装置は、そのモバイル無線装置に関連付けられた位置情報をＶｏＩＰシステム１０に提供する（ステップ３０２）。例えば、デュアルモード・モバイル装置１２は、それぞれ上述したようにＧＰＳ、セルラネットワーク、または、ユーザにより得らた位置情報をＶｏＩＰシステム１０に提供する。
【００３２】
また、図９は、モバイル無線装置のおよその位置として圏内装置の位置をＶｏＩＰシステム１０に提供するモバイル無線装置が、ＶｏＩＰシステム１０に緊急呼を発信する処理ロジックの一実施形態を示している。モバイル無線装置は、ＶｏＩＰシステム１０と無線広帯域接続を介して緊急呼を開始する（ステップ３０４）。モバイル無線装置が自分の位置を特定することができない場合、モバイル無線装置は圏内装置と接続を確立する（ステップ３０６）。例えば、デュアルモード・モバイル装置１２の通信プロセッサ２０が、圏内装置４２の通信プロセッサ４４とＳＩＰおよびメディア接続を確立する。次に、モバイル無線装置は、２つの装置間の接続を介して圏内装置から位置情報を取得する（ステップ３０８）。モバイル無線装置は、ＶｏＩＰシステム１０とモバイル無線装置との間で緊急呼に由来して確立された接続を介して、取得した圏内装置の位置情報をＶｏＩＰシステム１０に提供する（ステップ３１０）。
【００３３】
図１０は、緊急呼を発信したモバイル無線装置から受信した位置情報を用いて、ＶｏＩＰシステム１０が受信した緊急呼を適切なＥＡＰへルーティングする処理ロジックの一実施形態を示している。例えば、デュアルモード・モバイル装置１２が発信側のＷＡＰ１４に認証された後に、デュアルモード・モバイル装置１２は、ＷＡＰ１４が確立した無線広帯域接続を介して緊急呼を発信する（ステップ３１２）。
【００３４】
緊急呼を受信するのに加えて、ＶｏＩＰシステム１０は、デュアルモード・モバイル装置１２が取得した、請求された（solicited）又は非請求の（unsolicited）位置情報をも、装置１２から受信する（ステップ３１４）。一例では、デュアルモード・モバイル装置１２を介してユーザが緊急呼を開始した後で、装置１２がＶｏＩＰシステム１０にその呼を発信する前に、デュアルモード・モバイル装置１２は位置情報を取得する。他の例では、デュアルモード・モバイル装置１２は、その装置１２が以前取得して格納していた位置情報を提供する。デュアルモード・モバイル装置１２がその位置をいつ取得したかに関わらず、位置情報は、緊急呼の一部としてＶｏＩＰシステム１０に自動的に提供してもよいし、あるいは、ＶｏＩＰシステム１０の要求に応じてデュアルモード・モバイル装置１２が提供してもよい。次に、呼処理サーバ１８は、例えば、ＰＳＴＮ２８または緊急サービスネットワーク３２を介して、非請求の位置情報に対応する地域にサービスを提供しているＥＡＰに緊急呼を導く（ステップ３１６）。
【００３５】
図１１は、緊急呼を発信したモバイル無線装置の圏内の装置から受信した位置情報を用いて、ＶｏＩＰシステム１０が受信した緊急呼を適切なＥＡＰにルーティングする処理ロジックの一実施形態を示している。この特定の実施形態によれば、モバイル無線装置はその位置を取得することはできないが、位置情報を有しているか、または、取得可能な装置の圏内に存在する。緊急呼において、呼処理サーバ１８は、圏内装置から取得した位置情報を、緊急呼を発信したモバイル無線装置のおよその位置として使用する。例えば、デュアルモード・モバイル装置１２が、発信側のＷＡＰ１４が確立した無線広帯域接続を介して、ＶｏＩＰシステム１０に緊急呼を発信して、処理ロジックは「開始」する（ステップ４００）。緊急呼の受信に加えて、ＶｏＩＰシステム１０は、デュアルモード・モバイル装置１２から圏内装置４２に関連付けられたアドレス情報も受信し、そのアドレス情報を使用して圏内装置４２との接続を確立する（ステップ４０２）。次に、ＶｏＩＰシステム１０は、ＶｏＩＰシステム１０と圏内装置４２との間に新たに確立された接続を介して、圏内装置４２から位置情報を取得する（ステップ４０４）。呼処理サーバ１８は、例えば、ＰＳＴＮ２８または緊急サービスネットワーク３２を介して、圏内装置の位置情報に対応する地域にサービスを提供しているＥＡＰに緊急呼を導く（ステップ４０６）。
【００３６】
図１２は、緊急呼に関連付けられた位置情報をＶｏＩＰシステム１０が取得できない場合に、ＶｏＩＰシステム１０が受信した着信する緊急呼をリダイレクトする処理ロジックの一実施形態を示している。デュアルモード・モバイル装置１２のようにセルラ通信と無線通信の両方が可能なモバイル無線装置が発信した緊急呼をＶｏＩＰシステム１０が受信して、処理ロジックは「開始」する（ステップ５００）。緊急呼を受信すると、呼処理サーバ１８は、例えば、ここに説明している１以上の実施形態によって、その緊急呼に関連付けられた位置が特定可能か否かを判定する（ステップ５０２）。位置が特定可能である場合、呼処理サーバ１８は、緊急呼を適切なＥＡＰにルーティングする（ステップ５０４）。
【００３７】
位置が特定可能でない場合、すなわち、呼処理サーバ１８が、デュアルモード・モバイル装置１２の位置、又は、およその位置を判定することができない場合、緊急呼は、セルラネットワーク３８に関連付けられたセルラキャリア等の、代替キャリアへリダイレクトされる（ステップ５０６）。一例では、デュアルモード・モバイル装置１２の位置を特定できないと呼処理サーバ１８が判定した後に、呼処理サーバ１８はデュアルモード・モバイル装置１２に呼リダイレクト命令を提供し、これにより、デュアルモード・モバイル装置１２が緊急呼をリダイレクトするように命令する。他の例では、デュアルモード・モバイル装置１２はその位置を取得できないと認識するが、そのような場合、呼処理サーバ１８からの命令がなくても、セルラネットワーク３８に呼をリダイレクトする。
【００３８】
通信プロセッサ２０は、デュアルモード・モバイル装置１２内で、緊急呼のリダイレクトを管理する。デュアルモード・モバイル装置１２の位置が特定できない場合、図１３のステップ５０８に示すように、通信プロセッサ２０は、セルラネットワーク３８とセルラ通信チャネルを確立する。一例では、ＶｏＩＰシステム１０の呼処理サーバ１８は、呼リダイレクト命令をデュアルモード・モバイル装置１２に提供して、後続の緊急呼をセルラネットワーク３８越しに発信させることによって、通信プロセッサ２０に緊急呼を「リダイレクト」させる。他の例では、通信プロセッサ２０は、デュアルモード・モバイル装置１２の位置を取得できないことを認識し、そのようにして、デュアルモード・モバイル装置１２に、呼処理サーバ１８からの命令がなくても呼を「リダイレクト」させる内部呼リダイレクト命令を生成する。呼リダイレクト命令がどのように生成されるかに関わらず、図１３のステップ５１０に示すように、通信プロセッサ２０は、呼リダイレクト命令に応じてセルラネットワーク３８越しに後続の緊急呼を発信することによって、緊急呼を「リダイレクト」する。このようにして、デュアルモード・モバイル装置１２の位置が特定できない場合は、セルラベース・システム（不図示）によって緊急呼が使用可能になる。ＷＬＡＮラジオ部３６とセルララジオ部４０が実質的に互いに干渉し合わないならば、通信プロセッサ２０は、ＶｏＩＰシステム１０との呼接続を維持しながら、セルラ通信チャネルを確立することができることを当業者は理解するだろう。
【００３９】
上述の実施形態を念頭に置いて、ここに教示したＶｏＩＰシステムにおける緊急呼のルーティングによれば、例えば、モバイル無線装置のおよその位置に対応する地域にサービスを提供するＥＡＰへ、モバイル無線装置が発信した緊急呼をルーティングするように構成されたシステム１０のような、ＶｏＩＰシステムが提供されることを理解すべきである。また、ＶｏＩＰシステムは、ＶｏＩＰシステムが呼を適切なＥＡＰへルーティングするのに十分な位置情報を呼が有していない場合に、デュアルモード・モバイル装置からセルラネットワーク越しに受信した緊急呼をリダイレクトするようにも構成されている。
【００４０】
したがって、以上、特定の実施形態によって本発明を説明したが、本発明は上記説明にも添付図面にも限定されないことを理解すべきである。代わりに、本発明は添付の特許請求の範囲とその合法的な均等物にのみ限定されるのである。
【図面の簡単な説明】
【００４１】
【図１】ボイス・オーバＩＰ（ＶｏＩＰ）システムの一実施形態を示すブロック図である。
【図２】ＶｏＩＰシステムに対して無線アクセスポイントを識別する処理ロジックの一実施形態を示すロジックフロー図である。
【図３】無線アクセスポイントを緊急応答ポイントに関連付ける処理ロジックの一実施形態を示すロジックフロー図である。
【図４】図１のＶｏＩＰシステムに含まれ、または、関連付けられた、データベースの一実施形態を示すブロック図である。
【図５】モバイル無線装置の範囲内にある装置から位置情報を取得するＶｏＩＰシステムの一実施形態を示すブロック図である。
【図６】緊急呼において無線アクセスポイントの識別子をＶｏＩＰシステムに提供する処理ロジックの一実施形態を示すロジックフロー図である。
【図７】ＶｏＩＰシステムにおいて緊急呼をルーティングする処理ロジックの一実施形態を示すロジックフロー図である。
【図８】緊急呼においてモバイル無線装置の位置情報をＶｏＩＰシステムに提供する処理ロジックの一実施形態を示すロジックフロー図である。
【図９】緊急呼においてモバイル無線装置に関連付けられた位置情報をＶｏＩＰシステムに提供する処理ロジックの一実施形態を示すロジックフロー図である。
【図１０】ＶｏＩＰシステムにおいて緊急呼をルーティングする処理ロジックの他の実施形態を示すロジックフロー図である。
【図１１】ＶｏＩＰシステムにおいて緊急呼をルーティングする処理ロジックのさらに他の実施形態を示すロジックフロー図である。
【図１２】ＶｏＩＰシステムが受信した緊急呼をセルラネットワーク越しにリダイレクトする処理ロジックの一実施形態を示すロジックフロー図である。
【図１３】デュアルモード・モバイル装置による緊急呼をセルラネットワーク越しにリダイレクトする処理ロジックの一実施形態を示すロジックフロー図である。
【図１】
2009522872.tif 000003
【図２】
2009522872.tif 000004
【図３】
2009522872.tif 000005
【図４】
2009522872.tif 000006
【図５】
2009522872.tif 000007
【図６】
2009522872.tif 000008
【図７】
2009522872.tif 000009
【図８】
2009522872.tif 000010
【図９】
2009522872.tif 000011
【図１０】
2009522872.tif 000012
【図１１】
2009522872.tif 000013
【図１２】
2009522872.tif 000014
【図１３】
2009522872.tif 000015
【手続補正書】
【提出日】平成20年8月26日(2008.8.26)
【手続補正１】
【補正対象書類名】特許請求の範囲
【補正対象項目名】全文
【補正方法】変更
【補正の内容】
【特許請求の範囲】
【請求項１】
ボイス・オーバＩＰ（ＶｏＩＰ）システム（１０）において緊急呼をルーティングする方法であって、
無線アクセスポイント（ＷＡＰ）識別子を緊急応答ポイント（ＥＡＰ）（３０）にマッピングする工程と、
発信側のＷＡＰ（１４）から着信する緊急呼を受信する工程と、
前記発信側のＷＡＰ（１４）に関連するＥＡＰ（３０）を特定する工程と、
前記特定したＥＡＰ（３０）に前記緊急呼を導く工程と、
を有することを特徴とする方法。
【請求項２】
前記ＷＡＰ識別子を前記ＥＡＰ（３０）にマッピングする前記工程には、
１以上の前記ＷＡＰ（１４）によって前記ＶｏＩＰシステム（１０）にルーティングされた緊急でない呼において、前記ＷＡＰ（１４）に関連付けられた位置情報を取得する工程と、
前記位置情報を用いて前記ＷＡＰ識別子を前記ＥＡＰ（３０）に関連させる工程と、
が含まれることを特徴とする請求項１に記載の方法。
【請求項３】
前記ＷＡＰ（１４）に関連付けられた前記位置情報を取得する前記工程には、前記ＷＡＰ（１４）と通信している複数のモバイル無線装置から前記位置情報を取得する工程が含まれる
ことを特徴とする請求項２に記載の方法。
【請求項４】
１以上の前記モバイル無線装置にはデュアルモード・モバイル通信装置（１２）が含まれ、
前記ＷＡＰ（１４）と通信している前記モバイル無線装置から前記位置情報を取得する前記工程には、１以上の前記デュアルモード・モバイル通信装置（１２）からセルラネットワークにより得られた位置情報を取得する工程が含まれる
ことを特徴とする請求項３に記載の方法。
【請求項５】
前記モバイル無線装置から取得する前記位置情報には、ＧＰＳにより得られた位置情報と、ユーザにより得られた位置情報と、前記モバイル無線装置の圏内の装置（４２）から取得した位置情報と、のいずれか１つが含まれる
ことを特徴とする請求項３に記載の方法。
【請求項６】
１以上の前記ＷＡＰ（１４）を介して前記モバイル無線装置が前記ＶｏＩＰシステム（１０）にログインしている間に、複数のモバイル無線装置から前記ＷＡＰ識別子を取得する工程をさらに有する
ことを特徴とする請求項１に記載の方法。
【請求項７】
前記ＷＡＰ識別子には、メディアアクセス制御アドレスと、サービスセット識別子と、インターネットプロトコルアドレスと、のいずれか１つが含まれる
ことを特徴とする請求項１に記載の方法。
【請求項８】
モバイル無線装置であって、
無線広帯域ネットワーク（１６）と通信するように構成された無線広帯域ラジオ部（３６）と、
前記モバイル無線装置が前記無線広帯域ネットワーク（１６）にアクセスする際に経由する無線アクセスポイント（ＷＡＰ）（１４）の識別子を取得し、前記モバイル無線装置が開始したボイス・オーバＩＰ（ＶｏＩＰ）呼においてＶｏＩＰシステム（１０）に前記ＷＡＰ識別子を提供し、前記モバイル無線装置に関連付けられた位置情報を前記ＶｏＩＰシステム（１０）に提供するように構成された通信プロセッサ（２０）と、
を備えることを特徴とするモバイル無線装置。
【請求項９】
前記通信プロセッサ（２０）は、前記モバイル無線装置と前記ＷＡＰ（１４）との間の認証手順において前記ＷＡＰ識別子を取得するように構成される
ことを特徴とする請求項８に記載のモバイル無線装置。
【請求項１０】
前記通信プロセッサ（２０）は、ＧＰＳ装置と、セルラネットワーク（３８）と、前記モバイル無線装置のユーザと、前記モバイル無線装置の圏内の装置（４２）と、のいずれか１つから、前記モバイル無線装置に関連付けられた前記位置情報を取得するようにさらに構成される
ことを特徴とする請求項８に記載のモバイル無線装置。
【手続補正２】
【補正対象書類名】明細書
【補正対象項目名】００１０
【補正方法】変更
【補正の内容】
【００１０】
さらなる他の例では、ＶｏＩＰシステムに接続されたモバイル無線装置から発信されＷＡＰを介して着信する緊急呼は、ＶｏＩＰシステムが受信する。モバイル無線装置の範囲内にある装置が取得した位置情報が取得される。圏内（in-range：範囲内の）装置から取得した位置情報に対応する地理的領域にサービスを提供しているＥＡＰに緊急呼は導かれる。
本発明にはＶｏＩＰシステムにおいて緊急呼をルーティングする方法が含まれる。方法の一例は、ＷＡＰ識別子をＥＡＰにマッピングする工程と、発信側のＷＡＰから着信する緊急呼を受信する工程と、発信側のＷＡＰに関連するＥＡＰを特定する工程と、特定したＥＡＰに緊急呼を導く工程と、を有する。
方法の一例においては、ＷＡＰ識別子をＥＡＰにマッピングする工程に、ＷＡＰに関連付けられた位置情報を取得する工程と、位置情報を用いてＷＡＰ識別子をＥＡＰに関連させる工程と、が含まれる。
方法の一例においては、ＷＡＰに関連付けられた位置情報を取得する工程には、１以上のＷＡＰによってＶｏＩＰシステムにルーティングされた緊急でない呼において位置情報を取得する工程が含まれる。
方法の一例においては、ＷＡＰに関連付けられた位置情報を取得する工程には、ＷＡＰと通信している複数のモバイル無線装置から位置情報を取得する工程が含まれる。
方法の一例においては、１以上のモバイル無線装置にはデュアルモード・モバイル通信装置が含まれる。
方法の一例においては、ＷＡＰと通信しているモバイル無線装置から位置情報を取得する工程には、１以上のデュアルモード・モバイル通信装置からセルラネットワークにより得られた位置情報を取得する工程が含まれる。
方法の一例においては、モバイル無線装置から取得する位置情報には、ＧＰＳにより得られた位置情報と、ユーザにより得られた位置情報と、モバイル無線装置の圏内の装置から取得した位置情報と、のいずれか１つが含まれる。
上に例示した方法は、１以上のＷＡＰを介してＶｏＩＰシステムにアクセスしている複数のモバイル無線装置からＷＡＰ識別子を取得する工程をさらに有してもよい。
方法の一例においては、モバイル無線装置からＷＡＰ識別子を取得する工程には、モバイル無線装置がＶｏＩＰシステムにログインしている間にモバイル無線装置からＷＡＰ識別子を取得する工程が含まれる。
方法の一例においては、着信する緊急呼には、緊急音声呼と、９１１緊急音声呼と、緊急テキストメッセージと、緊急インスタントメッセージと、のいずれか１つが含まれる。
方法の一例においては、ＷＡＰ識別子には、メディアアクセス制御アドレスと、サービスセット識別子と、インターネットプロトコルアドレスと、のいずれか１つが含まれる。
上に例示した方法は、ＥＡＰが特定されなかった場合、セルラネットワークに緊急呼をリダイレクトする処理を開始する工程をさらに備えてもよい。
本発明の実施形態には、さらに、緊急呼をルーティングするＶｏＩＰシステムが含まれてもよい。実施形態の一例によれば、ＶｏＩＰシステムは、ＷＡＰ識別子をＥＡＰにマッピングするように構成された、ＶｏＩＰシステムに含まれ、または、関連付けられた、データベースと、発信側のＷＡＰから着信する緊急呼を受信し、発信側のＷＡＰに関連するＥＡＰを特定し、特定したＥＡＰに緊急呼を導くように構成された、呼処理サーバと、を備える。
ＶｏＩＰシステムの一例においては、呼処理サーバはＷＡＰに関連付けられた位置情報を取得するように構成され、データベースは位置情報を用いてＷＡＰ識別子をＥＡＰにマッピングするように構成される。
ＶｏＩＰシステムの一例においては、呼処理サーバは、１以上のＷＡＰによってＶｏＩＰシステムにルーティングされた緊急でない呼において位置情報を取得することによって、ＷＡＰに関連付けられた位置情報を取得するように構成される。
ＶｏＩＰシステムの一例においては、呼処理サーバは、ＷＡＰと通信している複数のモバイル無線装置からＷＡＰに関連付けられた位置情報を取得するように構成される。
ＶｏＩＰシステムの一例においては、１以上のモバイル無線装置にはデュアルモード・モバイル通信装置が含まれる。
ＶｏＩＰシステムの一例においては、呼処理サーバは、１以上のデュアルモード・モバイル通信装置からセルラネットワークにより得られた位置情報を取得することによって、ＷＡＰに関連付けられた位置情報を取得するように構成される。
ＶｏＩＰシステムの一例においては、呼処理サーバが取得する位置情報には、ＧＰＳにより得られた位置情報と、ユーザにより得られた位置情報と、モバイル無線装置の圏内の装置から取得した位置情報と、のいずれか１つが含まれる。
ＶｏＩＰシステムの一例においては、呼処理サーバは、１以上のＷＡＰを介してＶｏＩＰシステムにアクセスしている複数のモバイル無線装置からＷＡＰ識別子を取得するようにさらに構成される。
ＶｏＩＰシステムの一例においては、呼処理サーバは、モバイル無線装置がＶｏＩＰシステムにログインしている間にモバイル無線装置からＷＡＰ識別子を取得するように構成される。
ＶｏＩＰシステムの一例においては、着信する緊急呼には、緊急音声呼と、９１１緊急音声呼と、緊急テキストメッセージと、緊急インスタントメッセージと、のいずれか１つが含まれる。
ＶｏＩＰシステムの一例においては、ＷＡＰ識別子には、メディアアクセス制御アドレスと、サービスセット識別子と、インターネットプロトコルアドレスと、のいずれか１つが含まれる。
ＶｏＩＰシステムの一例においては、呼処理サーバは、ＥＡＰが特定されなかった場合、セルラネットワークに緊急呼をリダイレクトする処理を開始するようにさらに構成される。
本発明の実施形態には、さらにモバイル無線装置が含まれてもよい。一実施形態に係るモバイル無線装置は、無線広帯域ネットワークと通信するように構成された無線広帯域ラジオ部と、モバイル無線装置が無線広帯域ネットワークにアクセスする際に経由するＷＡＰの識別子を取得し、モバイル無線装置が開始したＶｏＩＰ呼においてＶｏＩＰシステムにＷＡＰ識別子を提供し、モバイル無線装置に関連付けられた位置情報をＶｏＩＰシステムに提供するように構成された通信プロセッサと、を備える。
モバイル無線装置の一例においては、通信プロセッサは、モバイル無線装置とＷＡＰとの間の認証手順においてＷＡＰ識別子を取得するように構成される。
モバイル無線装置の一例においては、通信プロセッサは、ＧＰＳ装置と、セルラネットワークと、モバイル無線装置のユーザと、モバイル無線装置の圏内の装置と、のいずれか１つから、モバイル無線装置に関連付けられた位置情報を取得するようにさらに構成される。
モバイル無線装置の一例においては、通信プロセッサは、呼リダイレクト命令に応じて、セルラネットワークに新たな緊急呼を発信するようにさらに構成される。
【国際調査報告】
2009522872.tif 000016
2009522872.tif 000017